(57)【要約】【課題】蓄熱性と採光性を併せ持つことができる建築用硝子板を提供することである。【解決手段】透明な無機硝子又は有機硝子で構成された建築用硝子板１であって、カプセル５に封入された蓄熱材４を保持させる。蓄熱材４が樹脂製シート７に保持されており、樹脂製シート７を積層してなるものである。建築用硝子板１の光透過率は、好ましくは３０〜７０パーセント、より好ましくは４０〜６０パーセント、さらに好ましくは４５〜５５パーセントである。また、建築用硝子板１の熱遮断率は、好ましくは６５〜９０パーセント、より好ましくは７５〜８５パーセント、さらに好ましくは７８〜８２パーセントである。【選択図】図１
2011168988.tif 000002
【特許請求の範囲】
【請求項１】
透明な無機硝子又は有機硝子で構成された建築用硝子板であって、カプセルに封入された蓄熱材を保持させることを特徴とする建築用硝子板。
【請求項２】
前記蓄熱材が樹脂製シートに保持されており、前記樹脂製シートを積層してなることを特徴とする請求項１に記載の建築用硝子板。
【発明の詳細な説明】
【技術分野】
【０００１】
本発明は、建築用硝子板に関し、さらに詳細には、蓄熱材を有した建築用硝子板に関する。
【背景技術】
【０００２】
ビルやマンション等において、冷暖房の高効率化を図るため、蓄熱材を含んだ窓ガラスが用いられている。これは、外気の急激な温度変化を蓄熱材で緩衝させ、室内の温度を一定に保つことを目的としている。蓄熱材は、固体から液体に相転移する際に「吸熱」し、液体から固体に相転移する際に「発熱」する。つまり、蓄熱材を含んだ窓ガラスは、蓄熱材の「潜熱」を利用したものである。特許文献１には、蓄熱材を含んだ窓ガラスが開示されている。
【先行技術文献】
【特許文献】
【０００３】
【特許文献１】特表２００３−５２０９１５号公報
【発明の概要】
【発明が解決しようとする課題】
【０００４】
特許文献１に記載の窓ガラスは、暗い色に染色された蓄熱材が、窓ガラスの上から下まで隙間なく充填されている。このことにより、前記窓ガラスは、太陽光等を吸収する効率が高く、熱エネルギーの蓄積に優れている。
【０００５】
ところが、暗い色の蓄熱材が窓ガラスの全面を覆っているため、室内に光が入り難い。すなわち、採光が不十分となり、窓ガラス本来の機能を失ってしまう恐れがある。
【０００６】
そこで、本発明は、蓄熱性と採光性を併せ持つことができる建築用硝子板の提供を目的とする。
【課題を解決するための手段】
【０００７】
上記課題を解決するための請求項１に記載の発明は、透明な無機硝子又は有機硝子で構成された建築用硝子板であって、カプセルに封入された蓄熱材を保持させることを特徴とする建築用硝子板である。
【０００８】
本発明の建築用硝子板は、透明な無機硝子又は有機硝子で構成された建築用硝子板であって、カプセルに封入された蓄熱材を保持させるものである。すなわち、蓄熱材をいくつものカプセルに分けて封入可能である。このことにより、蓄熱材をカプセル単位で硝子の中に分散保持させることができる。つまり、カプセルの数量を調節することにより、所望の蓄熱量と光量を併せ持った硝子板となる。本発明の建築用硝子板によれば、カプセルに封入された蓄熱材を保持させることにより、優れた蓄熱性と採光性を併せ持つことができる。
【０００９】
請求項２に記載の発明は、前記蓄熱材が樹脂製シートに保持されており、前記樹脂製シートを積層してなることを特徴とする請求項１に記載の建築用硝子板である。
【００１０】
本発明の建築用硝子板は、前記蓄熱材が樹脂製シートに保持されており、前記樹脂製シートを積層してなるものである。本発明の建築用硝子板によれば、前記蓄熱材が保持された樹脂製シートと、透明な無機硝子又は有機硝子とを積層するだけで、優れた蓄熱性と採光性を併せ持つことができる。
【発明の効果】
【００１１】
本発明の建築用硝子板によれば、カプセルに封入された蓄熱材を保持させることにより、優れた蓄熱性と採光性を併せ持つことができる。
【図面の簡単な説明】
【００１２】
【図１】本発明の実施形態に係る建築用硝子板を示す断面図であり、（ａ）は蓄熱性フィラーを硝子内に保持したものであり、（ｂ）は蓄熱性フィラーを保持した樹脂製シートが硝子に積層されたものである。
【図２】カプセルに封入された蓄熱材を示す断面図である。
【図３】建築用硝子板が取り付けられた建物の一部を示す断面図である。
【発明を実施するための形態】
【００１３】
以下では、本発明の建築用硝子板の実施形態について、図面を参照しながら詳細に説明する。なお、以下の説明は、実施形態の理解を容易にするためのものであり、これによって、本発明が制限して理解されるべきではない。
【００１４】
まず、本発明の実施形態に係る建築用硝子板１の構成について説明する。
【００１５】
図１（ａ），（ｂ）に示すように、建築用硝子板１は、硝子２と蓄熱性フィラー３を有している。
【００１６】
硝子２は、透明な有機硝子や無機硝子で構成されている。有機硝子の例としては，アクリル酸メチル樹脂（ＰＭＭＡ）等のアクリル酸エステル重合体が挙げられる。なお、硝子２は、無色でも有色でも構わない。
【００１７】
一方、蓄熱性フィラー３は、粒状である。図１（ａ）に示すように、蓄熱性フィラー３は、硝子２内に分散保持されている。あるいは、図１（ｂ）に示すように、蓄熱性フィラー３を保持した樹脂製シート７を、硝子２に積層しても構わない。
【００１８】
なお、蓄熱性フィラー３は、粒径が１〜５０μｍ（マイクロメートル）程度である。
【００１９】
図２に示すように、蓄熱性フィラー３は、蓄熱材４とカプセル５を有している。蓄熱材４は蓄熱性フィラー３の中心に位置し、蓄熱材４はカプセル５で覆われている。
【００２０】
蓄熱材４は、蓄熱作用を有する材料であり、室温で容易に融解する材料である。ここで室温とは、摂氏０度〜摂氏３５度程度を指すこととする。なお、蓄熱材４の融解温度は、選定する材料に起因する。蓄熱材４は、パラフィン等で構成されることが望ましい。
【００２１】
カプセル５は、蓄熱材４への熱伝導を極力妨げない材料であって、容易に損傷しない材料で構成されることが望ましい。カプセル５は、樹脂等で構成されることが望ましい。
【００２２】
つぎに、本発明の実施形態に係る建築用硝子板１の特性について説明する。
【００２３】
建築用硝子板１の特性は、蓄熱材４の選定と、蓄熱性フィラー３の含量（保持量）によって決まる。
【００２４】
建築用硝子板１の光透過率は、好ましくは３０〜７０パーセント、より好ましくは４０〜６０パーセント、さらに好ましくは４５〜５５パーセントである。
【００２５】
また、建築用硝子板１の熱遮断率は、好ましくは６５〜９０パーセント、より好ましくは７５〜８５パーセント、さらに好ましくは７８〜８２パーセントである。
【００２６】
図３に示すように、建築用硝子板１を取り付けた建物１０内の快適さを体感する実験例を示す。建築用硝子板１の光透過率は５０パーセントであって、熱遮断率は８０パーセントとする。なお、実験は、夏場等の日差しが強い昼間に行うこととする。
【００２７】
この実験において、建築用硝子板１では、太陽光並びに熱輻射の緩衝が可能である。つまり、建物１０内は快適であって、蓄熱性と採光性の確保を達成できる。
【００２８】
一方、建築用硝子板１の代わりに、一般的な無機ガラス２０や、すりガラス３０を用いた場合は、太陽光並びに熱輻射の緩衝はできない。このため、建物１０内は高温となり、不快である。
【００２９】
以上のように本発明の実施形態に係る建築用硝子板１では、カプセル５に封入された蓄熱材４を保持させることにより、優れた蓄熱性と採光性を併せ持つことができる。
【００３０】
ここで建築用硝子板１は具体的には、屋外と屋内を仕切る開閉窓や仕切り戸の開放部に用いても良いことは当然であるが屋内を仕切る間仕切り、屋内の扉、収納部の扉、浴室の扉等に用いてもよいもので、本発明に包含されるものである。
【符号の説明】
【００３１】
１    建築用硝子板
４    蓄熱材
５    カプセル
７    樹脂製シート
【図１】
2011168988.tif 000003
【図２】
2011168988.tif 000004
【図３】
2011168988.tif 000005